(57)【要約】【課題】小型でありながら長いシャッタストロークを確保することができ、しかも構造が簡単なシャッタを備えたディスクカートリッジを提供する。【解決手段】ドライブ装置の記録再生ヘッド２７をディスク２３の表面にアクセスさせるため開口２４をハウジング２２の角部近傍に設け、この開口２４をスライド式シャッタ２５で開閉する。【選択図】　　　　　図１
2004145925.tif 000002
【特許請求の範囲】
【請求項１】
記録媒体としてのディスクを回転自在に収容する略四角形の扁平なハウジングに、ドライブ装置の記録再生ヘッドを前記ディスクの表面にアクセスさせるための開口と、該開口を開閉するシャッタとが設けられてなるディスクカートリッジにおいて、
前記開口を前記ハウジングの角部近傍に設け、前記シャッタをスライド式シャッタとしたことを特徴とするディスクカートリッジ。
【請求項２】
前記スライド式シャッタを閉方向に付勢する付勢手段がコイルバネであることを特徴とする請求項１記載のディスクカートリッジ。
【請求項３】
前記スライド式シャッタを閉方向に付勢する付勢手段がトーションバネであることを特徴とする請求項１記載のディスクカートリッジ。
【請求項４】
前記スライド式シャッタが、前記ドライブ装置が備えているシャッタ開閉機構により開閉されることを特徴とする請求項１記載のディスクカートリッジ。
【請求項５】
前記スライド式シャッタを、前記記録再生ヘッドのアクセス開始方向と略同一方向にスライド可能に設け、かつ該シャッタが閉位置にあるときに前記開口のヘッドアクセス側部位を覆う蓋を設けたことを特徴とする請求項１記載のディスクカートリッジ。
【発明の詳細な説明】
【０００１】
【発明の属する技術分野】
本発明は、記録媒体としてのディスクをハウジング内に回転自在に収容してなる小型ディスクカートリッジに関し、特にスライド式シャッタを備えたディスクカートリッジに関するものである。
【０００２】
【従来の技術】
図４（ａ）は従来の３．５インチ（約８９ｍｍ）フロッピー（Ｒ）ディスクカートリッジを示し、このディスクカートリッジ１は、ディスク３を回転自在に収容する四角形の扁平なハウジング２に、ドライブ装置が備えている磁気ヘッドをディスク３の表面にアクセスさせるための開口４と、この開口４を開閉するスライド式シャッタ５とが設けられている。開口５ａを備えたシャッタ５はハウジング２の外側に設けられ、図示しないバネ部材によって閉方向に付勢されている。
【０００３】
このディスクカートリッジ１の場合、ディスク５に対する磁気ヘッドのアクセス方向Ｈがシャッタの開方向に対し直交する方向のため、開口４がハウジング２の縁部の略中央に設けられている。そして、ｚｉｐ、ＭＤ、ＤＶＤ　ＲＡＭ等の他の従来の多くのディスクカートリッジも、このような構成のスライド式シャッタを備えている。
【０００４】
また従来、図４（ｂ）に示すような「ｃｌｉｋ！（登録商標）」と呼ばれる超小型の磁気ディクカートリッジ１１も使用されている。
【０００５】
この種のディクカートリッジは特許文献１に記載されているが、図４（ｂ）の磁気ディスクカートリッジ１１は、金属製の上下シェルを備えた、幅５０ｍｍ、奥行き５５ｍｍ、厚さ１．９５ｍｍの扁平なハウジング１２内に、４０ＭＢの記憶容量を有する直径１．８インチ（４５．７ｍｍ）の磁気ディスク３を回転自在に収容している。そして、ドライブ装置が備えている磁気ヘッドがスイング式のため、磁気ヘッドをディスク１３の表面にアクセスさせるための開口１４がハウジング１２の片側に偏った位置にＶ字形に形成され、開口１５ａを備えた回転式シャッタ１５がハウジング１２の内側に設けられて、開口１４を開閉するように構成されている。
【０００６】
【特許文献１】米国特許第６２５６１６８号
【０００７】
【発明が解決しようとする課題】
ところで、図４（ａ）に示すような、磁気ヘッドをディスク３の表面にアクセスさせるための開口４がハウジング２の縁部の略中央に設けられ、この開口４がスライド式シャッタで開閉されるように構成されたディスクカートリッジの場合、小型化でなおかつ高容量化が求められると、大きな開口を開閉するための比較的長いシャッタストロークを確保する必要があるため、シャッタを閉方向に付勢するバネ部材の設置領域が非常に狭くなり、これを実現するための設計が極めて困難になる。
【０００８】
一方、図４（ｂ）に示すような回転式シャッタを用いれば、小型のディスクカートリッジにおいても比較的長いストロークを確保することができるから、上記問題は解決するが、回転式シャッタを閉方向に付勢するための機構が極めて複雑になり、設計、組立ておよびコストのすべての点で問題がある。
【０００９】
上述の事情に鑑み、本発明は、小型でありながら長いシャッタストロークを確保することができ、しかも構造が簡単なシャッタを備えたディスクカートリッジを提供することを目的とするものである。
【００１０】
【課題を解決するための手段】
本発明は、記録媒体としてのディスクを回転自在に収容する略四角形の扁平なハウジングに、ドライブ装置の記録再生ヘッドを前記ディスクの表面にアクセスさせるための開口と、この開口を開閉するシャッタとが設けられてなるディスクカートリッジにおいて、上記開口をハウジングの角部近傍に設け、上記シャッタをスライド式シャッタとしたことを特徴とするものである。
【００１１】
上記開口をハウジングの角部近傍に設けたために、閉位置にあるスライド式シャッタがハウジングの角部に位置することになるが、カートリッジが落下した場合等のシャッタの損傷防止を考慮すると、シャッタの端部がハウジングの角部から若干内側に離れている方が好ましい。
【００１２】
上記スライド式シャッタを閉方向に付勢する付勢手段としては、コイルバネあるいはトーションバネを用いることができる。またドライブ装置が、シャッタ開機構のみでなくシャッタ閉機構をも備えている場合には、付勢手段は不要になる。
【００１３】
なお、上記スライド式シャッタは、記録再生ヘッドのアクセス開始方向と直交する方向にスライド可能に設けられるのが普通であるが、記録再生ヘッドのアクセス開始方向と略同一方向にスライド可能に設けることもできる。その場合には、シャッタが閉位置にあるときに上記開口のヘッドアクセス側端部を覆う蓋を設けることが好ましい。
【００１４】
【発明の効果】
本発明によれば、ドライブ装置の記録再生ヘッドをディスクの表面にアクセスさせるための開口をハウジングの角部近傍に設けたために、スライド式シャッタを用いながら、小型のディスクカートリッジにおいて大きな開口を開閉するための長いシャッタストロークを確保することができる。また、バネ部材を用いてシャッタを閉方向に付勢する場合に、バネ部材の設置領域を広く取ることができるので、実現が容易になる利点がある。
【００１５】
さらに、スライド式シャッタを採用しているので、シャッタを閉方向に付勢する機構が単純になり、回転式シャッタに比較して、設計、組立ておよびコストのすべての点で有利である。
【００１６】
【発明の実施の形態】
以下、本発明の実施の形態について、図面を参照して詳細に説明する。
【００１７】
図１は本発明によるディスクカートリッジの第１の実施の形態を概略的に示す平面図である。このディスクカートリッジ２１は、四角形の扁平なハウジング２２内にディスク２３を回転自在に収容している。
【００１８】
このディスクカートリッジ２１が装填されるドライブ装置は、スイングアーム２６の先端に記録再生ヘッド２７を備えており、これに対応して、記録再生ヘッド２７をディスク２３の表面にアクセスさせるためのＶ字状の開口２４がハウジング２２の角部に形成されている。上記開口２４は、ハウジング２２に設けられたスライド式シャッタ２５により開閉されるように構成されている。図１はシャッタ２５が開いた状態を示す。
【００１９】
図２（ａ），（ｂ）は、上記スライド式シャッタ２５を閉方向に付勢する付勢構造を概略的に示す平面図で、図２（ａ）ではコイルバネ２８を、図２（ｂ）ではトーションバネ２９を用いている。なお、図２（ａ）においては、閉状態にあるスライド式シャッタ２５がハウジング２２の角部に位置しているが、ディスクカートリッジ２１が落下した場合等におけるシャッタ２５の損傷防止を考慮すると、図２（ｂ）に示すように、閉状態にあるシャッタ２５の端部がハウジング２２の角部から若干内側に離れている方が好ましい。またドライブ装置が、シャッタ開機構のみでなくシャッタ閉機構をも備えている場合には、付勢手段は不要になる。
【００２０】
本発明の第１の実施の形態によれば、図２（ａ），（ｂ）から明らかなように、開口２４をハウジング２２の角部近傍に設けたために、スライド式シャッタ２５
を用いながら、小型のディスクカートリッジにおいても大きな開口２４を開閉するための長いシャッタストロークを確保することができる。また、バネ部材を用いてシャッタを閉方向に付勢する場合に、バネ部材の設置領域を広く取ることができる
図３（ａ）〜（ｃ）は、本発明によるディスクカートリッジの第２の実施の形態を概略的に示す平面図および要部の拡大断面図である。
【００２１】
このディスクカートリッジ３１も、四角形の扁平なハウジング３２内にディスク３３を回転自在に収容している。ディスクカートリッジ３１が装填されるドライブ装置は、上述と同様に、スイングアーム２６の先端に記録再生ヘッド２７を備えており、これに対応して、ハウジング３２の角部には、記録再生ヘッド２７をディスク２３の表面にアクセスさせるためのＶ字状の開口３４がハウジング３２の角部に形成されている。上記開口２４は、ハウジング３２に設けられたスライド式シャッタ２５により開閉されるように構成されている。
【００２２】
前述した本発明の第１の実施の形態では、スライド式シャッタ２５が図の左右方向、すなわち記録再生ヘッド２７のアクセス開始方向と直交する方向にスライド可能に設けられているが、この第２の実施の形態においては、スライド式シャッタ３５が図の上下方向、すなわち記録再生ヘッド２７のアクセス開始方向と略同一方向にスライド可能に設けられている
この場合、シャッタ３５が閉位置にあるときに開口３４のヘッドアクセス側端部が開放されているため、図３（ｂ）に示すように、この端部を覆う蓋３６がシャッタ３５に設けられる。この蓋３６は、例えばシャッタ３５の上側の板部のエッジに沿ってヒンジ結合されているとともに、バネ３７によって図３（ｂ）の反時計方向に付勢されて、シャッタ３５が閉位置にあるときには開口３４のヘッドアクセス側端部を閉塞している。
【００２３】
そして、図３（ｃ）に示すように、シャッタ３５が開方向にスライドするのに伴って、ハウジング３２によってバネ３７の付勢力に抗して図の時計方向に回動されて、シャッタ３５の板部と略平行になり、ハウジング３２の上面をシャッタ３５とともにスライドする。シャッタ３５が閉位置に戻れば、バネ３７の付勢力によって。図３（ｂ）に示す状態に復帰するように構成されている。
【００２４】
本実施の形態によっても、長いいシャッタストロークを確保することができるとともに、バネ部材を用いてシャッタ３５を閉方向に付勢する場合に、バネ部材の設置領域を広く取ることができること明らかである。
【図面の簡単な説明】
【図１】本発明によるディスクカートリッジの第１の実施の形態を示す概略的平面図
【図２】図１のディスクカートリッジが備えているスライド式シャッタの付勢構造を示す概略的平面図
【図３】本発明によるディスクカートリッジの第２の実施の形態を示す概略的平面図および要部の拡大断面図
【図４】従来のディスクカートリッジの概略的平面図
【符号の説明】
２１，３１　　ディスクカートリッジ
２２，３２　　ハウジング
２３，３３　　ディスク
２４，３４　　開口
２５，３５　　スライド式シャッタ
２６　　スイングアーム
２７　　記録再生ヘッド
２８　　コイルバネ
２９　　トーションバネ
【図１】
2004145925.tif 000003
【図２】
2004145925.tif 000004
【図３】
2004145925.tif 000005
【図４】
2004145925.tif 000006